【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
複数量の遊技媒体を規定量とし、該規定量の遊技媒体が投入されたのちに始動操作されたことに基づいてゲームの実行を可能とするゲーム実行手段と、
少なくとも第１の役及び第２の役を含む複数の役のなかからいずれかを選び出す抽選を行う抽選手段と、
複数のリールを回転させるとともに、所定の停止操作が行われたことに基づいて前記抽選の結果に基づく図柄組み合わせが表示されるように回転中のリールを停止させる制御を実行可能なリール制御手段と、
前記抽選にて選び出された役に対応する図柄組み合わせが表示されたときに、該表示された図柄組み合わせに応じた特典を付与可能な特典付与手段と、
前記特典付与手段により特典が付与されるに際して、特典が付与される旨を把握可能な特典演出を実行可能な特典演出実行手段と、
を備え、
前記抽選手段は、
前記第１の役及び前記第２の役の両方を選び出しうるように構成されており、
前記リール制御手段は、
前記第１の役及び前記第２の役の両方が選び出されたときに、該第１の役に対応する図柄組み合わせとして、同種図柄組み合わせが表示されるように回転中のリールを停止する第１リール制御手段、及び
前記第１の役及び前記第２の役の両方が選び出されたにもかかわらず前記第１の役に対応する同種図柄組み合わせを表示できない態様で前記停止操作が行われた場合には、前記第２の役に対応する図柄組み合せとして、異種図柄組み合わせが表示されるように回転中のリールを停止する第２リール制御手段を有し、
前記特典付与手段は、
前記第１の役に対応する同種図柄組み合わせが表示されなかったとしても、前記抽選にて前記第１の役及び前記第２の役の両方が選び出された結果として前記第２の役に対応する異種図柄組み合わせが表示されたときには、前記特典として前記規定量に満たない単位数量の遊技媒体を付与する単位媒体付与手段を有し、
前記単位媒体付与手段によって前記単位数量の遊技媒体が付与されるに際して、
前記特典演出実行手段は、
前記特典としての遊技媒体が前記単位媒体付与手段により付与されるにもかかわらず前記特典演出を実行しないようにした
ことを特徴とする遊技機。
【請求項２】
前記抽選手段は、前記始動操作されたことに基づいて前記抽選を行うものである
請求項１に記載の遊技機。
【請求項３】
所定の演出音が出力される音出力手段をさらに備える
請求項１又は２に記載の遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、興趣の低下を抑制することを目的とする。
【手続補正４】
【補正対象書類名】明細書
【補正対象項目名】０００８
【補正方法】変更
【補正の内容】
【０００８】
請求項１に係る遊技機は、複数量の遊技媒体を規定量とし、該規定量の遊技媒体が投入されたのちに始動操作されたことに基づいてゲームの実行を可能とするゲーム実行手段と、少なくとも第１の役及び第２の役を含む複数の役のなかからいずれかを選び出す抽選を行う抽選手段と、複数のリールを回転させるとともに、所定の停止操作が行われたことに基づいて前記抽選の結果に基づく図柄組み合わせが表示されるように回転中のリールを停止させる制御を実行可能なリール制御手段と、前記抽選にて選び出された役に対応する図柄組み合わせが表示されたときに、該表示された図柄組み合わせに応じた特典を付与可能な特典付与手段と、前記特典付与手段により特典が付与されるに際して、特典が付与される旨を把握可能な特典演出を実行可能な特典演出実行手段と、を備え、前記抽選手段は、前記第１の役及び前記第２の役の両方を選び出しうるように構成されており、前記リール制御手段は、前記第１の役及び前記第２の役の両方が選び出されたときに、該第１の役に対応する図柄組み合わせとして、同種図柄組み合わせが表示されるように回転中のリールを停止する第１リール制御手段、及び前記第１の役及び前記第２の役の両方が選び出されたにもかかわらず前記第１の役に対応する同種図柄組み合わせを表示できない態様で前記停止操作が行われた場合には、前記第２の役に対応する図柄組み合せとして、異種図柄組み合わせが表示されるように回転中のリールを停止する第２リール制御手段を有し、前記特典付与手段は、前記第１の役に対応する同種図柄組み合わせが表示されなかったとしても、前記抽選にて前記第１の役及び前記第２の役の両方が選び出された結果として前記第２の役に対応する異種図柄組み合わせが表示されたときには、前記特典として前記規定量に満たない単位数量の遊技媒体を付与する単位媒体付与手段を有し、前記単位媒体付与手段によって前記単位数量の遊技媒体が付与されるに際して、前記特典演出実行手段は、前記特典としての遊技媒体が前記単位媒体付与手段により付与されるにもかかわらず前記特典演出を実行しないようにしたことを特徴とするものである。
請求項２に係る遊技機は、前記抽選手段は、前記始動操作されたことに基づいて前記抽選を行うものである。
請求項３に係る遊技機は、所定の演出音が出力される音出力手段をさらに備えるものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】変更
【補正の内容】
【００２５】
本発明によれば、興趣の低下を抑制することができる。